(57)【要約】【課題】ファイナライズ済みメディアに対して追記を行うことが可能な光ディスク記録装置と、追記された情報を再生可能である光ディスク再生装置とを提供する。【解決手段】ファイナライズ処理を行う際、追記許可フラグをＤＭＡ領域のアクセスインジケータ領域に記録する。さらに光ディスク記録手段が、ファイナライズ処理された光ディスクに対する記録処理を制御部から指示された場合に、光ディスク記録手段はアクセスインジケータ領域を参照して追記許可フラグが記録されているかどうかの確認を行う。記録されている場合、情報記録領域に情報の記録を行うとともに、最新のＤＭＡ情報をＴＤＭＡ領域に記録する。再生を行う際、光ディスクのＤＭＡ領域のアクセスインジケータ領域に追記許可フラグが記録されているかどうかを確認する。追記許可フラグが記録されている場合は、ＴＤＭＡ領域からＤＭＡ情報を読み出す。【選択図】図２
2008146791.tif 000002
【特許請求の範囲】
【請求項１】
情報記録領域と、
前記情報記録領域における記録済み領域のアドレス情報を含むＤＭＡ情報を記録するＤＭＡ領域と、
前記ＤＭＡ情報を前記ＤＭＡ領域に記録することにより前記情報記録領域に対する記録を不許可とするファイナライズ処理が未実施の状態において、前記ＤＭＡ情報を記録するＴＤＭＡ領域と、
前記ＤＭＡ領域の記録／未記録を示すために前記ＴＤＭＡ領域内に設けられたＤＭＡアクセスインジケータ領域と、
を備えたＢＤ−Ｒメディア対して記録を行う光ディスク記録手段を備えたＢＤ−Ｒ記録装置であって、
前記光ディスク記録手段が、前記ファイナライズ処理を行う際に、前記情報記録領域に対する情報の追記許可を示す追記許可フラグを前記ＤＭＡアクセスインジケータ領域に記録し、
前記光ディスク記録手段が、前記情報記録領域に対する記録を行う際に、前記ＤＭＡアクセスインジケータ領域に前記追記許可フラグが記録されていかどうかを参照し、前記追記許可フラグが記録されている場合において、前記情報記録領域に対する記録を行った後、前記ＤＭＡ情報を前記ＴＤＭＡ領域に記録すること
を特徴とするＢＤ−Ｒ記録装置。
【請求項２】
情報記録領域と、
前記情報記録領域における記録済み領域のアドレス情報を含む記録管理情報を記録する第一記録管理領域と、
前記記録管理情報を前記第一記録管理領域に記録することにより前記情報記録領域に対する記録を不許可とする最終処理が未実施の状態において、前記記録管理情報を記録する第二記録管理領域と、
前記第一記録管理領域の記録／未記録を示すために前記第二記録管理領域内に設けられた状態指示領域と、
を備えた光ディスクに対して記録を行う光ディスク記録手段を備えた光ディスク記録装置であって、
前記光ディスク記録手段が、前記最終処理を行う際に、前記情報記録領域に対する情報の追記許可を示す追記許可フラグを前記状態指示領域に記録し、
前記光ディスク記録手段が、前記情報記録領域に対する記録を行う際に、前記状態指示領域を参照し、前記状態指示領域に前記追記許可フラグが記録されていると判定された場合において、前記情報記録領域に対する記録を行った後、前記記録管理情報を前記第二記録管理領域に記録すること
を特徴とする光ディスク記録装置。
【請求項３】
情報記録領域と、
前記情報記録領域における記録済み領域のアドレス情報を含むＤＭＡ情報を記録するＤＭＡ領域と、
前記ＤＭＡ情報を前記ＤＭＡ領域に記録することにより情報記録領域に対する記録を不許可とするファイナライズ処理が未実施の状態において、前記ＤＭＡ情報を記録するＴＤＭＡ領域と、
前記ＤＭＡ領域の記録／未記録を示すために前記ＴＤＭＡ領域に設けられたＤＭＡアクセスインジケータ領域と、
を備えたＢＤ−Ｒメディアの再生を行う光ディスク再生手段を備えた光ディスク再生装置であって、
前記追記許可フラグの参照を行うかどうかの参照指示を受け付ける受付手段を備え、
前記光ディスク再生手段が、前記ファイナライズ処理を施した光ディスクの前記情報記録領域から情報の読み出しを行う際に、前記アクセスインジケータ領域に請求項１に記載の前記ＢＤ−Ｒ記録装置、または請求項２に記載の前記光ディスク記録装置によって記録された前記追記許可フラグが記録されているかどうかを確認し、
前記確認の結果、前記追記許可フラグが記録されている場合において、前記ＴＤＭＡ領域から前記ＤＭＡ情報を読み出し、読み出した前記ＤＭＡ情報に基づいて前記情報記録領域から情報を読み出し
前記確認の結果、前記追記許可フラグが記録されていない場合、或いは前記受付手段により受け付けられた前記参照指示が前記追記許可フラグの参照を行わないことを示す場合において、前記ＤＭＡ領域から前記ＤＭＡ情報を読み出し、読み出した前記ＤＭＡ情報に基づいて前記情報記録領域から情報を読み出すこと
を特徴とするＢＤ−Ｒ再生装置。
【請求項４】
情報記録領域と、
前記情報記録領域における記録済み領域のアドレス情報を含む記録管理情報を記録する第一記録管理領域と、
前記記録管理情報を前記第一記録管理領域に記録することにより前記情報記録領域に対する記録を不許可とする最終処理が未実施の状態において、前記記録管理情報を記録する第二記録管理領域と、
前記第一記録管理領域の記録／未記録を示すために前記第二記録管理領域内に設けられた状態指示領域と
を備えた光ディスクの再生を行う光ディスク再生手段を備えた光ディスク再生装置であって、
前記光ディスク再生手段が、前記最終処理を施した光ディスクの前記情報記録領域から情報の読み出しを行う際に、前記状態指示領域に、請求項１に記載の前記ＢＤ−Ｒ記録装置、または請求項２に記載の前記光ディスク記録装置によって記録された前記追記許可フラグが記録されているかどうかを確認し、
前記確認の結果、前記追記許可フラグが記録されている場合において、前記第二記録管理領域から前記記録管理情報を読み出し、読み出した前記記録管理情報に基づいて前記情報記録領域から情報を読み出し、
前記確認の結果、前記追記許可フラグが記録されていない場合において、前記第一記録管理領域から前記記録管理情報を読み出し、読み出した前記記録管理情報に基づいて前記情報記録領域から情報を読み出すこと
を特徴とする光ディスク再生装置。
【請求項５】
前記追記許可フラグの参照を行うかどうかの参照指示を受け付ける受付手段を備え、
前記受付手段により受け付けられた前記参照指示が、前記追記許可フラグの参照を行わないことを示す場合において、
前記光ディスク再生手段が、前記最終処理を施した光ディスクの前記情報記録領域から情報の読み出しを行う際に、前記第一陥管理領域から前記記録管理情報を読み出し、読み出した前記記録管理情報に基づいて前記情報記録領域から情報を読み出すこと
を特徴とする請求項４に記載の光ディスク再生装置。
【発明の詳細な説明】
【技術分野】
【０００１】
本発明は、ＢＤ−Ｒ規格の光ディスクに対して情報の書き込みを行う光ディスク記録装、及び書き込みを行う光ディスク再生装置に関するものであり、特にファイナライズ処理後のＢＤ−Ｒメディアに対する記録処理に係る光ディスク記録装置、及び前記光ディスク記録装置で記録されたＢＤ−Ｒメディアの再生処理に係る光ディスク再生装置に関する。
【背景技術】
【０００２】
近年、テレビ等の画像装置において処理される画像或いは音声の記録及び再生を行うための装置として、ＢＤ（Ｂｌｕ−ｒａｙ  Ｄｉｓｃ）レコーダ／プレーヤ等のＢＤ方式によるディスク制御装置が普及しつつある。これらのディスク制御装置のうち、特にＢＤ−Ｒ（Ｂｌｕ−ｒａｙ  Ｄｉｓｃ  Ｒｅｃｏｒｄａｂｌｅ）規格に基づいたＢＤ−Ｒレコーダ／プレーヤが普及しつつある。
【０００３】
ＢＤ−Ｒレコーダは、ライトワンスメディア（一度だけデータを書き込むことが可能な記録メディア。以前のデータに加えて新たなデータを追記することはできるが、一度書き込んだデータを消去したり、それらを上書きしたりはできない）であるＢＤ−Ｒメディアに対して情報の記録を行う記録装置である。またＢＤ−Ｒプレーヤは、ＢＤ−Ｒレコーダにより記録されたＢＤ−Ｒメディアから情報の読み込みを行うための再生装置である。
【０００４】
一般にＢＤの規格によれば、追記型ＢＤであるＢＤ−Ｒ、及び書き換え型ＢＤであるＢＤ−ＲＥ（Ｂｌｕ−ｒａｙ  Ｄｉｓｃ  Ｒｅｗｒｉｔａｂｌｅ）が広く知られている。このうちＢＤ−Ｒは、ＢＤ−Ｒメディアへのデータ記録時に、ＢＤ−ＲメディアのＬｅａｄ−ｉｎ領域に存在するＤＭＡ（Ｄｅｆｅｃｔ  Ｍａｇｅｍｅｎｔ  Ａｒｅａ）領域、或いはＴＤＭＡ（Ｔｅｍｐｏｒａｒｙ  Ｄｅｆｅｃｔ  Ｍａｇｅｍｅｎｔ  Ａｒｅａ）領域に、ＤＭＡ情報を記録する。
【０００５】
ＤＭＡ情報には、ＤＦＬ（Ｄｅｆｅｃｔ  Ｌｉｓｔ−欠陥クラスタのアドレスと、その内容を置き換えたクラスタのアドレスとの対応情報）や、データエリアのＳＲＲ（ＣＤのトラックに相当）毎の最終記録済みアドレスなどが含まれている。ＢＤ−Ｒメディアにおいては、ファイナライズ処理時にＤＭＡ情報がＤＭＡ領域に書き込まれる。ファイナライズ処理とは、ＣＤ−ＲやＢＤ−Ｒ等などの追記型光ディスクに記録したデータを他の再生装置、例えばディスクプレーヤー等でも再生できるようにするための最終処理を指す。
【０００６】
例えばＤＶＤ−Ｖｉｄｅｏ形式で記録しているＤＶＤ−Ｒ／ＤＶＤ−ＲＷディスクであれば、映像が終了したという目印（＝ボーダーアウト）を書き込む。ボーダーアウトが書き込まれたＤＶＤ−Ｒ／ＤＶＤ−ＲＷは、ほとんどのＤＶＤプレーヤで再生が可能となる。逆にファイナライズ処理をしていない光ディスクは通常、記録を行った記録装置でなければ再生できない。またファイナライズ処理後は、光ディスクに空き容量が残っていたとしても、一切の記録ができなくなる。
【０００７】
ＢＤ−Ｒメディアにおいては、ＤＭＡ領域にＤＭＡ情報が記録された後は、データ領域に対する情報の記録或いは修正が不可能となる。すなわち、一度書き込まれたＤＭＡ領域内のデータはその修正、削除及び追記が不可能である。ＢＤプレーヤ等の再生装置は、ＤＭＡ領域内のデータを参考にして、ファイナライズ処理されたＢＤ−Ｒメディアに記録されている情報の読み込みを行う。
【０００８】
上記のようなファイナライズ処理は、ＢＤ−Ｒメディアの記録済み容量に関わらず行うことができる。このため、例えばユーザがＢＤ−Ｒメディアの全記録領域の半分に対して記録を行った後にファイナライズ処理を行うと、残り半分の記憶容量は二度と使用できなくなる。このため、記憶容量を十分に有効活用できない場合があるといった問題があった。
【０００９】
上記の問題に関連して特許文献１には、ファイナライズ処理後にもデータの追記が可能な貯蔵媒体と、その記録及び再生装置、及びファイナライズ処理を行わずにデータの記録及び再生を可能とした貯蔵媒体と、その記録及び再生装置が開示されている。
【００１０】
特許文献１の貯蔵媒体と記録及び再生装置は、データ記録領域と、データ記録領域にデータが書き込まれる都度、所定の記録／再生装置により前記データが認識可能に前記データの関連情報が追記されるタイトル検索情報領域とを含むことを特徴としている。具体的には、タイトル検索情報領域内のデータ関連情報として、データタイトルを管理するタイトルサーチポインタテーブル（ＴＴ＿ＳＲＰＴ）情報を記録する。
【特許文献１】特開２００３−２６３８６０号公報
【発明の開示】
【発明が解決しようとする課題】
【００１１】
しかしながら、上記特許文献１に開示されている貯蔵媒体と記録及び再生装置においては、通常のＤＶＤ規格と異なる独自の仕様に基づいて記録しなければ実施できないという問題があった。このため、特許文献１の記録装置において記録された貯蔵媒体（ＢＤ−Ｒメディア）は、他ベンダのＢＤ−Ｒ再生装置では再生できないため、互換性が損なわれるという問題があった。
【００１２】
以上の点を鑑みて、本発明の目的は、ファイナライズ済みのＢＤ−Ｒメディアに対して追記を行うことが可能な光ディスク記録装置と、前記光ディスク装置でファイナライズ処理後に追記された情報を再生可能である光ディスク再生装置とを提供することにある。なおかつ、前記光ディスク装置で追記が行われたＢＤ−Ｒメディアを、本発明の光ディスク再生装置以外の光ディスク再生装置でも再生可能とすることを目的とする。
【課題を解決するための手段】
【００１３】
上記目的を達成するために本発明のＢＤ−Ｒ記録装置は、情報記録領域と、前記情報記録領域における記録済み領域のアドレス情報を含むＤＭＡ情報を記録するＤＭＡ領域と、前記ＤＭＡ情報を前記ＤＭＡ領域に記録することにより前記情報記録領域に対する記録を不許可とするファイナライズ処理が未実施の状態において、前記ＤＭＡ情報を記録するＴＤＭＡ領域と、前記ＤＭＡ領域の記録／未記録を示すために前記ＴＤＭＡ領域内に設けられたＤＭＡアクセスインジケータ領域とを備えたＢＤ−Ｒメディア対して記録を行う光ディスク記録手段を備えたＢＤ−Ｒ記録装置であって、前記光ディスク記録手段が、前記ファイナライズ処理を行う際に、前記情報記録領域に対する情報の追記許可を示す追記許可フラグを前記ＤＭＡアクセスインジケータ領域に記録し、前記光ディスク記録手段が、前記情報記録領域に対する記録を行う際に、前記ＤＭＡアクセスインジケータ領域に前記追記許可フラグが記録されていかどうかを参照し、前記追記許可フラグが記録されている場合において、前記情報記録領域に対する記録を行った後、前記ＤＭＡ情報を前記ＴＤＭＡ領域に記録することを特徴とする。
【００１４】
これによると、本発明のＢＤ−Ｒ記録装置は、情報記録領域、ＤＭＡ情報を記録するＤＭＡ領域、及びファイナライズ処理前の光ディスクにおいてＤＭＡ情報を記録するＴＤＭＡ領域を備えたＢＤ−Ｒメディアに対する記録を行う光ディスク記録手段（＝ドライブ制御部、及び光ディスクドライブより構成される）を備えている。光ディスク記録手段がファイナライズ処理を行う際、最新のＤＭＡ情報がＤＭＡ領域に記録されるが、この際、追記許可フラグを併せてＤＭＡ領域のアクセスインジケータ領域に記録する。アクセスインジケータ領域とは、ＤＭＡ領域の記録状態を示すフラグ情報を記録すための領域である。さらに光ディスク記録手段が、ファイナライズ処理された光ディスク（＝ＤＭＡ領域が記録済みである光ディスク）に対する記録処理を制御部から指示された場合に、光ディスク記録手段はアクセスインジケータ領域を参照して追記許可フラグが記録されているかどうかの確認を行う。記録されている場合、情報記録領域に情報の記録を行うとともに、最新のＤＭＡ情報をＴＤＭＡ領域に記録する。逆に記録されていない場合は、記録不可能を示すエラーメッセージの表示等を行い、記録処理を中断する。
【００１５】
また上記目的を達成するために本発明の光ディスク記録装置は、情報記録領域と、前記情報記録領域における記録済み領域のアドレス情報を含む記録管理情報を記録する第一記録管理領域と、前記記録管理情報を前記第一記録管理領域に記録することにより前記情報記録領域に対する記録を不許可とする最終処理が未実施の状態において、前記記録管理情報を記録する第二記録管理領域と、前記第一記録管理領域の記録／未記録を示すために前記第二記録管理領域内に設けられた状態指示領域とを備えた光ディスクに対して記録を行う光ディスク記録手段を備えた光ディスク記録装置であって、前記光ディスク記録手段が、前記最終処理を行う際に、前記情報記録領域に対する情報の追記許可を示す追記許可フラグを前記状態指示領域に記録し、前記光ディスク記録手段が、前記情報記録領域に対する記録を行う際に、前記状態指示領域を参照し、前記状態指示領域に前記追記許可フラグが記録されていると判定された場合において、前記情報記録領域に対する記録を行った後、前記記録管理情報を前記第二記録管理領域に記録することを特徴とする。
【００１６】
これによると、本発明光ディスク記録装置は、情報記録領域、記録済み領域を示す記録管理情報（＝ＤＭＡ情報）を記録する第一記録管理領域（＝ＤＭＡ領域）、及び最終処理（＝ファイナライズ処理）前の光ディスクにおいて記録管理情報を記録する第二記録管理領域（＝ＴＤＭＡ領域）を備えた光ディスクに対する記録を行う光ディスク記録手段を備えている。光ディスク記録手段が最終処理を行う際、最新の記録管理情報が第一記録管理領域に記録されるが、この際、追記許可フラグを併せて第一記録管理領域の状態指示領域（＝アクセスインジケータ領域）に記録する。状態指示領域とは、第一記録管理領域の記録状態を示すフラグ情報を記録すための領域である。さらに光ディスク記録手段が、最終処理された光ディスク（＝第一記録管理領域が記録済みである光ディスク）に対する記録処理を制御部から指示された場合に、光ディスク記録手段は状態指示領域を参照して追記許可フラグが記録されているかどうかの確認を行う。記録されている場合、情報記録領域に情報の記録を行うとともに、最新の記録管理情報を第二記録管理領域に記録する。逆に記録されていない場合は、記録不可能を示すエラーメッセージの表示等を行い、記録処理を中断する。
【００１７】
また、上記目的を達成するために本発明の光ディスク再生装置は、情報記録領域と、前記情報記録領域における記録済み領域のアドレス情報を含むＤＭＡ情報を記録するＤＭＡ領域と、前記ＤＭＡ情報を前記ＤＭＡ領域に記録することにより情報記録領域に対する記録を不許可とするファイナライズ処理が未実施の状態において、前記ＤＭＡ情報を記録するＴＤＭＡ領域と、前記ＤＭＡ領域の記録／未記録を示すために前記ＴＤＭＡ領域に設けられたＤＭＡアクセスインジケータ領域とを備えたＢＤ−Ｒメディアの再生を行う光ディスク再生手段を備えた光ディスク再生装置であって、前記追記許可フラグの参照を行うかどうかの参照指示を受け付ける受付手段を備え、前記光ディスク再生手段が、前記ファイナライズ処理を施した光ディスクの前記情報記録領域から情報の読み出しを行う際に、前記アクセスインジケータ領域に請求項１に記載の前記ＢＤ−Ｒ記録装置、または請求項２に記載の前記光ディスク記録装置によって記録された前記追記許可フラグが記録されているかどうかを確認し、前記確認の結果、前記追記許可フラグが記録されている場合において、前記ＴＤＭＡ領域から前記ＤＭＡ情報を読み出し、読み出した前記ＤＭＡ情報に基づいて前記情報記録領域から情報を読み出し、前記確認の結果、前記追記許可フラグが記録されていない場合、或いは前記受付手段により受け付けられた前記参照指示が前記追記許可フラグの参照を行わないことを示す場合において、前記ＤＭＡ領域から前記ＤＭＡ情報を読み出し、読み出した前記ＤＭＡ情報に基づいて前記情報記録領域から情報を読み出すことを特徴とする。
【００１８】
これによると、本発明の光ディスク再生装置は、ＢＤ−Ｒメディアの再生を行う光ディスク再生手段を備えている。また、ファイナライズ済み光ディスクの再生処理時に、請求項１に記載のＢＤ−Ｒ記録装置または請求項２に記載の光ディスク装置で記録が行われた追記許可フラグの参照を行うかどうかの指示を予め受け付けておく受付手段を備えている。そして光ディスク再生手段によりファイナライズ済み光ディスクの再生処理を行う際に、光ディスクのＬｅａｄ−ｉｎ領域に存在するＤＭＡ領域のアクセスインジケータ領域に追記許可フラグが記録されているかどうかを確認する。追記許可フラグが記録されている場合は、ＴＤＭＡ領域からＤＭＡ情報を読み出す。追記許可フラグが記録されていない場合、或いは受付手段により追記許可フラグの参照を行わない指示を受け付けている場合は、ＤＭＡ領域からＤＭＡ情報を読み出す。そして読み出した記録管理情報に基づき、ファイナライズ済み光ディスクの再生処理を行う。
【００１９】
また、上記目的を達成するために本発明の光ディスク再生装置は、情報記録領域と、前記情報記録領域における記録済み領域のアドレス情報を含む記録管理情報を記録する第一記録管理領域と、前記記録管理情報を前記第一記録管理領域に記録することにより前記情報記録領域に対する記録を不許可とする最終処理が未実施の状態において、前記記録管理情報を記録する第二記録管理領域と、前記第一記録管理領域の記録／未記録を示すために前記第二記録管理領域内に設けられた状態指示領域とを備えた光ディスクの再生を行う光ディスク再生手段を備えた光ディスク再生装置であって、前記光ディスク再生手段が、前記最終処理を施した光ディスクの前記情報記録領域から情報の読み出しを行う際に、前記状態指示領域に、請求項１に記載の前記ＢＤ−Ｒ記録装置、または請求項２に記載の前記光ディスク記録装置によって記録された前記追記許可フラグが記録されているかどうかを確認し、前記確認の結果、前記追記許可フラグが記録されている場合において、前記第二記録管理領域から前記記録管理情報を読み出し、読み出した前記記録管理情報に基づいて前記情報記録領域から情報を読み出し、前記確認の結果、前記追記許可フラグが記録されていない場合において、前記第一記録管理領域から前記記録管理情報を読み出し、読み出した前記記録管理情報に基づいて前記情報記録領域から情報を読み出すことを特徴としている。
【００２０】
これによると、本発明の光ディスク再生装置は、光ディスクの再生を行う光ディスク再生手段を備えている。光ディスク再生手段により最終処理済み光ディスクの再生処理を行う際に、光ディスクのＬｅａｄ−ｉｎ領域に存在する状態指示領域に、請求項１に記載のＢＤ−Ｒ記録装置または請求項２に記載の光ディスク記録装置によって記録された追記許可フラグが存在するかどうかを確認する。追記許可フラグが存在する場合、第二記録管理領域から記録管理情報を読み出す。追記許可フラグが存在しない場合は、第一記録管理領域から記録管理情報を読み出す。そして読み出した記録管理情報に基づいてファイナライズ済み光ディスクの再生処理を行う。
【００２１】
また、上記目的を達成するために本発明の光ディスク再生装置は、前記追記許可フラグの参照を行うかどうかの参照指示を受け付ける受付手段を備え、前記受付手段により受け付けられた前記参照指示が、前記追記許可フラグの参照を行わないことを示す場合において、前記光ディスク再生手段が、前記最終処理を施した光ディスクの前記情報記録領域から情報の読み出しを行う際に、前記第一陥管理領域から前記記録管理情報を読み出し、読み出した前記記録管理情報に基づいて前記情報記録領域から情報を読み出すことを特徴としている。
【００２２】
これによると、本発明の光ディスク再生装置は、ＢＤ−Ｒメディアの再生を行う光ディスク再生手段と、ファイナライズ済み光ディスクの再生処理時に追記許可フラグの参照を行うかどうかの指示を予め受け付けておく受付手段を備えている。受付手段により追記許可フラグの参照を行わない指示を受け付けた場合は、ファイナライズ済み光ディスクの再生処理時に第一記録管理領域から記録管理情報を読み出す。そして読み出した記録管理情報に基づき、ファイナライズ済み光ディスクの再生処理を行う。
【発明の効果】
【００２３】
本発明によれば、ファイナライズ処理を行う際、最新のＤＭＡ情報をＤＭＡ領域に記録するのと併せて追記許可フラグをＤＭＡ領域のアクセスインジケータ領域に記録する。そしてファイナライズ済みかつ追記許可フラグが記録されている光ディスクに対する記録処理を指示された場合に、光ディスクの情報記録領域に情報の記録を行うとともに、最新のＤＭＡ情報をＴＤＭＡ領域に記録する。このため、通常は記録が不可能であるファイナライズ済み光ディスクに対して情報の記録が可能であるため、例えば誤ってファイナライズ処理を実行してしまった光ディスクであっても、情報記録領域を有効に活用することができる。
【００２４】
また本発明によれば、最終処理最終処理を行う際、最新の記録管理情報が第一記録管理領域に記録するのと併せて、追記許可フラグを第一記録管理領域の状態指示領域に記録する。そして最終処理が施された、かつ追記可能フラグが記録されている光ディスクに対する記録処理を指示された場合に、光ディスクの情報記録領域に情報の記録を行うとともに、最新の記録管理情報を第二記録管理領域に記録する。このため、通常は記録が不可能である最終処理済み光ディスクに対して情報の記録が可能であるため、例えば誤って最終処理を実行してしまった光ディスクであっても、情報記録領域を有効に活用することができる。
【００２５】
また本発明によれば、ファイナライズ済み光ディスクの再生処理時に、請求項１に記載のＢＤ−Ｒ記録装置または請求項２に記載の光ディスク装置で記録が行われた追記許可フラグの参照を行うかどうかの指示を予め受け付けておく受付手段を備えている。そしてファイナライズ済み光ディスクの再生処理を行う際に、追記許可フラグが記録されている場合は、ＴＤＭＡ領域からＤＭＡ情報を読み出して再生処理を行う。従って、請求項１に記載のＢＤ−Ｒ記録装置または請求項２に記載の光ディスク装置で記録が行われた光ディスクから、ファイナライズ後に記録された情報を読み取ることが可能である。
【００２６】
逆に追記許可フラグが検知できない場合、或いは受付手段により追記許可フラグの参照を行わない指示を受け付けている場合は、ＤＭＡ領域からＤＭＡ情報を読み出す。このため、上記追記可能フラグが記録された光ディスクが本発明以外の光ディスク再生装置において再生された場合でも、追記許可フラグが検知できないため、通常のファイナライズ済み光ディスクに対する再生処理と同様の処理が行われる。このため、本発明の光ディスク記録装置により記録された光ディスクが、従来の光ディスク再生装置との互換性を損なうことがない。
【００２７】
また本発明によれば、最終処理済み光ディスクの再生処理時に、請求項１に記載のＢＤ−Ｒ記録装置または請求項２に記載の光ディスク装置で記録が行われた追記許可フラグの参照を行う。追記許可フラグが記録されている場合、第二記録管理領域から記録管理情報を読み出して再生処理を行う。従って、請求項１に記載のＢＤ−Ｒ記録装置または請求項２に記載の光ディスク装置で記録が行われた光ディスクから、最終処理後に記録された情報を読み取ることが可能である。
【００２８】
逆に追記許可フラグを検知できなかった場合は、第一記録管理領域から記録管理情報を読み出す。このため、上記追記可能フラグが記録された光ディスクが本発明以外の光ディスク再生装置において再生される場合でも、追記許可フラグが検知できないため、通常の最終処理済み光ディスクに対する再生処理と同様の処理が行われる。このため、本発明の光ディスク記録装置により記録された光ディスクが、従来の光ディスク再生装置との互換性を損なうことがない。
【００２９】
また本発明によれば、最終処理済み光ディスクの再生処理時に追記許可フラグの参照を行うかどうかの指示を予め受け付けておく受付手段を備えている。このため、本発明の光ディスク記録装置によりファイナライズ後に情報が追記された光ディスクを再生する場合において、ファイナライズ後に記録された情報を無視することにより、ファイナライズ直後の記録状態の光ディスクを復元することが可能である。
【発明を実施するための最良の形態】
【００３０】
以下に本発明の実施形態を、図面を参照しながら説明する。なお、ここで示す実施形態は一例であり、本発明はここに示す実施形態に限定されるものではない。
【００３１】
〈１．内部構成について〉
図１は、本発明の一実施形態に係るＢＤ−Ｒ記録再生装置１（＝光ディスク記録装置及び光ディスク再生装置の両方に相当）を示す構成図である。ＢＤ−Ｒ記録再生装置１は、少なくとも、制御部１１、メモリ１２、光ディスクドライブ１３（＝光ディスク記録手段及び光ディスク再生手段の構成要素）、データ入力部１４、エンコーダ部１５、ドライブ制御部１６（＝光ディスク記録手段及び光ディスク再生手段の構成要素）、再生信号制御部１７、データ出力部１８、操作ボタン群１９、及びフロントパネル２０を備えている。
【００３２】
制御部１１は、ＢＤ−Ｒ記録再生装置１の各部を制御することにより画像情報処理、例えばコンテンツの録画或いは再生等を統括制御するためのものであり、例えば複数のマイクロプロセッサから構成されている。また制御部１１は、各装置（例えば光ディスクドライブ１３等）の制御やデータの計算、加工処理等を行なう中枢部分となっている。
【００３３】
メモリ１２は、ＢＤ−Ｒ記録再生装置１が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ１２は、例えば制御部１１によって各種情報処理が行われる際の処理データや、ユーザから受けた指示命令等を一時的に記録しておくためのバッファメモリとしての役割を持つ。
【００３４】
光ディスクドライブ１３は、ＣＤメディア、ＤＶＤメディア、或いはＢＤメディア等の光ディスクに対して光学的に各種データの読み取りを行うための光学装置である。なお、光ディスクには複数の規格が存在するため、光ディスクドライブ１３の規格に応じた光ディスクを使用しなければ、各種処理（再生処理等）を行うことができない。
【００３５】
データ入力部１４は、例えばデジタルチューナーなどの外部装置からデジタルデータを入力するための入力インターフェースである。また、例えばアナログデータを入力する場合は、Ａ／Ｄコンバータ（Analog Digital Converter）を用いてアナログの画像データ及び音声データをデジタルデータに変換して入力することが可能である。
【００３６】
エンコーダ部１５は、画像データをＭＰＥＧ２等の画像圧縮方式により圧縮を行ったり、音声データをＤｏｌｂｙ  ＡＣ−３やＬＰＣＭ等の音声圧縮方式により圧縮を行ったりする。なお、圧縮を行うデータとしては、例えばデータ入力部１４より入力された画像データ及び音声データ等が対象となる。なお、入力された画像データが既になんからの圧縮方式で圧縮されている場合は、エンコードを行わないようにすることも可能である。
【００３７】
ドライブ制御部１６は、光ディスクドライブ１３が備える各部材の駆動を制御する。これにより、例えば光ディスクドライブ１３に装着された光ディスクに記録されている情報の読み取り処理等を統括制御する。
【００３８】
再生信号制御部１７は、前記エンコーダ部１５等により圧縮されて光ディスクに記録されている画像データ及び音声データを伸長して画像信号或いは音声信号を生成する。生成された各種信号は、例えば後述するデータ出力部１８等を用いて外部機器に対して出力される。
【００３９】
データ出力部１８は、例えばモニタなどの外部装置に対して画像データ及び音声データを出力するための出力インターフェースである。なお、例えば出力先の機器がアナログインタフェースしか備えていない場合は、Ｄ／Ａコンバータ（Digital Analog Converter）を用いてデジタルの画像データ及び音声データをアナログデータに変換して出力することが可能である。
【００４０】
操作ボタン群１９は、ユーザが光ディスクの再生等の各種指示をＢＤ−Ｒ記録再生装置１に対して行なうための入力インターフェースである。操作ボタン群１９により出力された指示は制御部１１により受け付けられる。指示を受け付けた制御部１１は、指示の内容に基づいて各種処理を行う。
【００４１】
フロントパネル２０は、ＢＤ−Ｒ記録再生装置１が保持する各種情報を、液晶パネル等を用いてユーザに対して表示する表示部である。
【００４２】
〈２．ＤＭＡ領域及びＴＤＭＡ領域について〉
ここで従来のＢＤ−Ｒメディアが備えるＤＭＡ領域（＝第一記録管理領域）及びＴＤＭＡ領域（＝第二記録管理領域）の構造について、図８〜図１０のブロック図を用いて、説明する。図８（ａ）は記録面が一層構造になっているＢＤ−Ｒメディア（＝一層メディア）の記録領域を模式的に表したブロック図である。また図８（ｂ）は記録面が二層構造になっているＢＤ−Ｒメディア（＝二層メディア）の記録領域を模式的に表したブロック図である。なお図８（ｂ）のＬ０（＝レイヤー０）は記録面第一層を、Ｌ１（＝レイヤー１）は記録面第二層を示している。
【００４３】
一層ディスクは、Ｌｅａｄ−ｉｎ領域（図８（ａ）のＬｅａｄ−ｉｎ  Ｚｏｎｅ）、データ領域（＝情報記録領域、図８（ａ）のＤａｔａ  Ｚｏｎｅ）、Ｌｅａｄ−ｏｕｔ領域（図８（ａ）のＬｅａｄ−ｏｕｔ  Ｚｏｎｅ）の三つの領域からなる構成をしている。また二層ディスクのＬ０はＬｅａｄ−ｉｎ領域（図８（ｂ）のＬｅａｄ−ｉｎ  Ｚｏｎｅ）、データ領域０（＝情報記録領域、図８（ｂ）のＤａｔａ  Ｚｏｎｅ０）、アウター領域０（図８（ｂ）のＯｕｔｅｒ  Ｚｏｎｅ０）の三つの領域からなる構成をしている。また二層ディスクのＬ１はＬｅａｄ−ｏｕｔ領域（図８（ｂ）のＬｅａｄ−ｏｕｔ  Ｚｏｎｅ）、データ領域１（図８（ｂ）のＤａｔａ  Ｚｏｎｅ１）、アウター領域１（図８（ｂ）のＯｕｔｅｒ  Ｚｏｎｅ１）の三つの領域からなる構成をしている。
【００４４】
図９は、二層ディスクのＬｅａｄ−ｉｎ領域、Ｌｅａｄ−ｏｕｔ領域、及びアウター領域の内部構造を示したものである。図９（ａ）はＬ０のＬｅａｄ−ｉｎ領域を、図９（ｂ）はＬ０のアウター領域０を、図９（ｃ）はＬ１のアウター領域１を、図９（ｄ）はＬ１のＬｅａｄ−ｏｕｔ領域の内部構造を示している。なお、Ｌ０とＬ１とで同名の領域が複数存在するもの（例えばＤＭＡ１等）には、同じ情報が格納される。
【００４５】
図９に示すようにＤＭＡ領域は、Ｌｅａｄ−ｉｎ領域、Ｌｅａｄ−ｏｕｔ領域、アウター領域にそれぞれ分散して複数（例えばＤＭＡ１領域〜ＤＭＡ４領域）存在する。ＤＭＡ領域には主に、ＤＦＬ、或いはデータエリアのＳＲＲ毎の最終記録済みアドレスなどを含むＤＭＡ情報が記録される。ＢＤ−Ｒメディアにおいては、ファイナライズ処理時にＤＦＬがＤＭＡ領域に書き込まれる。ファイナライズ処理以前は、ＤＦＬはＴＤＭＡ領域に記録される。
【００４６】
ＴＤＭＡ領域は、図８に示すＬｅａｄ−ｉｎ領域、データ領域、及びＬｅａｄ−ｏｕｔ領域にそれぞれ分散して複数存在する。なお一層メディアと二層メディアとでは、存在するＴＤＭＡ領域の数が異なる。ＴＤＭＡ領域は、一層メディアであればＴＤＭＡ０〜ＴＤＭＡ２の３つの領域が存在する。また二層メディアであればＴＤＭＡ０〜ＴＤＭＡ５の６つの領域が存在する。ＴＤＭＡ０から順番に利用され、ＴＤＭＡ２（二層メディアの場合はＴＤＭＡ５）の容量が無くなるまで利用可能である。
【００４７】
ＴＤＭＡ領域は光ディスク上に散在しているため、どこに最新のＤＭＡ情報が存在するかを知るために、アクセスインジケータ領域（＝状態指示領域）という領域が用いられる。これはＴＤＭＡ０の先頭３クラスタ（二層メディアの場合は先頭６クラスタ）に存在する。図１０は、一層メディアのＴＤＭＡ０領域の構成を示したブロック図であり、［ＤＭＡ］〜［ＴＤＭＡ１］がアクセスインジケータ領域を示している。なお図示していないが、二層メディアの場合は［ＤＭＡ］、［ＴＤＭＡ５］〜［ＴＤＭＡ１］の６つのアクセスインジケータ領域がＴＤＭＡ０の先頭６クラスタに存在する。
【００４８】
アクセスインジケータ領域は、各インジケータに対応する領域（［ＤＭＡ］であればＤＭＡ領域）にＤＭＡ情報が記録されていることを示すためのフラグとして用いられる領域である。なおアクセスインジケータ領域には、最新のＴＤＤＳデータが３２回繰り返して記録される。
【００４９】
このアクセスインジケータ領域は、ＤＭＡ情報を記録するＴＤＭＡ０本体部とは異なる役割を持つ。最新のＤＭＡ情報がどこに存在するかのチェック処理においては、［ＤＭＡ］、［ＴＤＭＡ２］、［ＴＤＭＡ１］の順（二層メディアの場合は［ＤＭＡ］、［ＴＤＭＡ５］〜［ＴＤＭＡ１］の順）にＲＦ信号の有無（つまり記録済みであるかどうか）の確認が行われる。この処理を、図６のブロック図を用いて説明する。
【００５０】
図６は、ファイナライズ処理前かつ一層構造のＢＤ−ＲメディアにおけるＴＤＭＡ領域及びＤＭＡ領域の書き込み処理及び読み込み処理を模式的に表したブロック図である。なお、二層構造のＢＤ−Ｒメディアにおける上記処理については、ＴＤＭＡ領域及びアクセスインジケータ領域の領域数が異なることを除けば同様の処理内容であるため、ここでは説明を省略する。
【００５１】
各領域を示すブロックの上方に示されている太い矢印（矢印α１〜α４）は、各領域に対する書き込み処理を示す。ブロックの下方に示されている細い矢印（矢印β１〜β３）は、各アクセスインジケータ領域に対するＲＦ信号の有無のチェック処理、つまりアクセスインジケータ領域が記録済みであるかどうかのチェック処理を示す。ブロックの下方に示されている破線の矢印（矢印γ１〜γ２）は、ＴＤＭＡ領域或いはＤＭＡ領域からのＤＭＡ情報（＝記録管理情報）の読み込み処理を示す。
【００５２】
なお図中の各ブロックのうち、ブロック内部が灰色で塗りつぶされている領域（例えば矢印α１で書き込まれ、矢印γ１で読み込まれているＴＤＭＡ０領域）は、ファイナライズ処理前に記録処理が行われた領域を示している。
【００５３】
図６（ａ）は、情報の記録が一切なされていないブランク状態の光ディスクに対するＤＭＡ情報の書き込み処理、及び読み込み処理を示している。ブランク状態である場合、図中の矢印α１に示すように、ＴＤＭＡ０領域の先頭からＤＭＡ情報の書き込みが行われる。なおこの際、アクセスインジケータ領域に対する書き込みは行われない。
【００５４】
矢印α１によるＤＭＡ情報が書き込まれた状態の光ディスクに対する読み込みが行われた場合、まず矢印β１に示すように、アクセスインジケータ領域を先頭から順に参照し、記録／未記録の確認を行う。図６の例ではまず[ＤＭＡ]の参照が行われ、未記録であることが確認される。次に［ＴＤＭＡ２］、［ＴＤＭＡ１］が順に参照され、共に未記録であることが確認される。この時点で、ＤＭＡ領域、ＴＤＭＡ２領域、ＴＤＭＡ１領域のいずれにもＤＭＡ情報が記録されていなと判定される。この結果、矢印γ１に示すようにＴＤＭＡ０領域からＤＭＡ情報が読み出される。
【００５５】
図６（ｂ）は、ＴＤＭＡ０領域にＤＭＡ情報を記録するために必要な残り領域が存在しない光ディスクに対するＤＭＡ情報の書き込み処理、及び読み込み処理を示している。この場合、まず図中の矢印α２に示すように、ＴＤＭＡ０領域の途中からＤＭＡ情報の書き込みが行われる。しかし書き込み処理中にＴＤＭＡ０領域の残り領域が無くなったことを検知し、矢印α３に示すように、ＴＤＭＡ１領域の先頭から最新のＤＭＡ情報の書き込みを再度行う。そして矢印α４に示すように、［ＴＤＭＡ１］に対する書き込みを行う。これにより、ＴＤＭＡ１領域にＤＭＡ情報が書き込まれていることを示すフラグ情報を作成したこととなる。
【００５６】
矢印α２〜矢印α４によるＤＭＡ情報が書き込まれた状態の光ディスクに対する読み込みが行われた場合、まず矢印β２に示すように、アクセスインジケータ領域を先頭から順に参照し、記録／未記録の確認を行う。図６（ｂ）の例ではまず[ＤＭＡ]の参照が行われ、未記録であることが確認される。次に［ＴＤＭＡ２］、［ＴＤＭＡ１］が順に参照され、［ＴＤＭＡ１］のみが記録済みであることが確認される。この時点で、ＴＤＭＡ１領域に最新のＤＭＡ情報が記録されていると判定される。この結果、矢印γ２に示すようにＴＤＭＡ１領域から最新のＤＭＡ情報が読み出される。
【００５７】
次に、光ディスクにファイナライズ処理が施される際のＤＭＡ情報記録処理について、図７のブロック図を用いて説明する。図７は、データ記録済みかつファイナライズ処理前かつ一層構造のＢＤ−ＲメディアにおけるＴＤＭＡ領域及びＤＭＡ領域の書き込み処理及び読み込み処理を模式的に表したブロック図である。なお、二層構造のＢＤ−Ｒメディアにおける上記処理については、ＴＤＭＡ領域及びアクセスインジケータ領域の領域数が異なることを除けば同様の処理内容であるため、ここでは説明を省略する。
【００５８】
各領域の上下に示されている三種類の矢印は、図６において同様の形状をしている矢印と同じ役割を表している。なお図中の各ブロックのうち、ブロック内が斜線で塗りつぶされている領域（例えば矢印α５で書き込まれている領域）は、ファイナライズ処理時に記録処理が行われた領域を示している。
【００５９】
図７は、ＴＤＭＡ１領域に最新のＤＭＡ情報が記録されている状態の光ディスクに対するファイナライズ処理を示している。ＴＤＭＡ１領域に最新のＤＭＡ情報が存在する場合、図中の矢印α５に示すように、ＴＤＭＡ１領域の途中からＤＭＡ情報の書き込みが行われる。次に矢印α６に示すように、ＴＤＭＡ１領域に書き込んだ最新のＤＭＡ情報と同じ情報をＤＭＡ領域にも書き込む。つまり、矢印Δ１に示すデータコピー処理が行われることとなる。そして矢印α７に示すように、［ＤＭＡ］に対する書き込みを行う。これにより、ＤＭＡ領域にＤＭＡ情報が書き込まれていることを示すフラグ情報を作成したこととなる。
【００６０】
矢印α５〜矢印α７によるＤＭＡ情報が書き込まれた状態（つまりファイナライズ状態）の光ディスクに対する読み込みが行われた場合、まず矢印β４に示すように、アクセスインジケータ領域を先頭から順に参照し、記録／未記録の確認を行う。図７の例ではまず[ＤＭＡ]の参照が行われ、記録済みであることが確認される。この時点で、ＤＭＡ領域に最新のＤＭＡ情報が記録されていると判定される。この結果、矢印γ３に示すようにＤＭＡ領域から最新のＤＭＡ情報が読み出される。
【００６１】
〈３．追記許可ファイナライズ処理について〉
ここで本発明のＢＤ−Ｒ記録再生装置１が備える、ファイナライズ処理について、図２のブロック図と、図３のフローチャートとを用いながら説明する。図２（ａ）は、データ記録済みかつファイナライズ処理前かつ一層構造のＢＤ−Ｒメディアに対する本発明のファイナライズ処理を模式的に示すためのブロック図である。
【００６２】
なお、二層構造のＢＤ−Ｒメディアにおける上記処理については、ＴＤＭＡ領域及びアクセスインジケータ領域の領域数が異なることを除けば同様の処理内容であるため、ここでは説明を省略する。各領域の上下に示されている三種類の矢印、及び塗りつぶされているブロック領域が示す意味は、図６及び図７に示されているものと同内容である。
【００６３】
また図３は、本発明の処理フローを示したフロー図である。本処理は、制御部１１からドライブ制御部１６に対して、光ディスクのファイナライズ指示が発行された際に開始される。ファイナライズ指示を検知したドライブ制御部１６は、ステップＳ１１０において、前回ＤＭＡ情報が記録されたＴＤＭＡ領域に、最新のＤＭＡ情報を書き込む。図２（ａ）に示す例では、図中の矢印α１１に示すように、ＴＤＭＡ１領域に最新のＤＭＡ領域が書き込まれる。
【００６４】
次にドライブ制御部１６は、ステップＳ１２０において、ＴＤＭＡ１に書き込んだ最新のＤＭＡ情報と同じ情報を、図中の矢印α１２に示すように、ＤＭＡ領域に書き込む。つまり矢印Δ１１に示すようなデータコピー処理が行われることとなる。
【００６５】
次にドライブ制御部１６は、ステップＳ１３０において、ＤＭＡ領域のアクセスインジケータ領域（＝図中の［ＤＭＡ］）に、情報を記録する。あわせてステップＳ１４０において、［ＤＭＡ］に追記許可フラグ９１を記録する。なお、ステップＳ１３０において［ＤＭＡ］に記録を行うデータの内容は最新のＴＤＤＳデータの３２回の繰り返しである。以上によりファイナライズ処理が完了するため、本処理を終了する。
【００６６】
〈４．ファイナライズ済み光ディスクの記録処理について〉
ここで本発明のＢＤ−Ｒ記録再生装置１が備える、ファイナライズ済みの光ディスクに対する記録処理について、図２のブロック図と、図４のフローチャートとを用いながら説明する。図２（ｂ）は、ファイナライズ済みかつ［ＤＭＡ］に追記許可フラグ９１が存在する一層構造のＢＤ−Ｒメディアに対する追記処理を模式的に示したブロック図である。なお、二層構造のＢＤ−Ｒメディアにおける上記処理については、ＴＤＭＡ領域及びアクセスインジケータ領域の領域数が異なることを除けば同様の処理内容であるため、ここでは説明を省略する。
【００６７】
各領域の上下に示されている三種類の矢印、及び塗りつぶされているブロック領域が示す意味は、図６及び図７に示されているものと同内容である。また、図中で黒く塗りつぶされているブロック領域（矢印α１４で記録されている領域）は、ファイナライズ処理後に記録処理が行われた領域を示している。
【００６８】
また図４は、本発明のファイナライズ済み光ディスクに対する記録処理の処理フローを示したフロー図である。本処理は、例えば制御部１１からドライブ制御部１６に対して、光ディスクへの書き込み指示が発行された際に開始される。書き込み指示を検知したドライブ制御部１６は、ステップＳ２１０において、［ＤＭＡ］の記録状態を確認し、［ＤＭＡ］になんらかの情報が記録済みであるかどうかの判定を行う。図２（ｂ）に示す例では、図中の矢印β１３に示すように、［ＤＭＡ］の記録状態が確認される。
【００６９】
ステップＳ２１０において［ＤＭＡ］が未記録の状態であると判定された場合、後述するステップＳ２３０に移行する。逆にステップＳ２１０において、［ＤＭＡ］が記録済み状態であると判定された場合、ドライブ制御部１６はステップＳ２２０において、［ＤＭＡ］に追記許可フラグ９１が存在するかどうかの判定を行う。図２（ｂ）に示す例では、図中の矢印β１３に示すように、［ＤＭＡ］の記録状態の確認中に追記許可フラグ９１が検知されることとなる。
【００７０】
ステップＳ２２０において［ＤＭＡ］に追記許可フラグ９１が存在すると判定された場合、ドライブ制御部１６はステップＳ２３０において、データ領域（図８のＤａｔａ  Ｚｏｎｅ）にユーザデータ（例えば音声データ等）を記録した後、前回ＤＭＡ情報が記録されたＴＤＭＡ領域に最新のＤＭＡ情報の書き込みを行い、本処理を終了する。図２（ｂ）に示す例では、図中の矢印α１４に示すように、ＴＤＭＡ１領域に最新のＤＭＡ情報が書き込まれることとなる。なお、ＤＭＡ情報以外の情報記録処理、例えばデータ領域へのユーザデータの記録処理等については従来技術と同様であるため、ここでは説明を省略する。
【００７１】
ステップＳ２２０において［ＤＭＡ］に追記許可フラグ９１が存在しないと判定された場合、ドライブ制御部１６はステップＳ２４０において、光ディスクがファイナライズ済みであり追記不可能であることを示すエラーメッセージを、フロントパネル２０等を用いてユーザに対して表示し、本処理を終了する。
【００７２】
〈５．記録済み光ディスクの再生処理について〉
ここで本発明のＢＤ−Ｒ記録再生装置１が備える、記録済み光ディスクの再生処理について、図２のブロック図と、図５のフローチャートとを用いながら説明する。
【００７３】
また図５は、本発明の記録済み光ディスクに対する再生処理の処理フローを示したフロー図である。本処理は、例えば制御部１１からドライブ制御部１６に対して、光ディスクの読み込み指示が発行された際に開始される。読み込み指示を検知したドライブ制御部１６は、ステップＳ３１０において、［ＤＭＡ］の記録状態を確認し、［ＤＭＡ］になんらかの情報が記録済みであるかどうかの判定を行う。図２（ａ）に示す例では図中の矢印β１１、また図２（ｂ）に示す例では図中の矢印β１４に示すように、［ＤＭＡ］の記録状態が確認される。
【００７４】
ステップＳ３１０において［ＤＭＡ］が未記録の状態であると判定された場合、後述するステップＳ３３０に移行する。逆にステップＳ３１０において、［ＤＭＡ］が記録済み状態であると判定された場合、ドライブ制御部１６はステップＳ３２０において、［ＤＭＡ］における追記許可フラグ９１の検知処理を行う。図２（ａ）に示す例では図中の矢印β１１、また図２（ｂ）に示す例では図中の矢印β１４に示すように、［ＤＭＡ］の記録状態の確認中に追記許可フラグ９１が検知されることとなる。
【００７５】
なお事前に、例えばユーザが操作ボタン群１９を用いてＢＤ−Ｒ記録再生装置１の各種設定を行った際等に、制御部１１（＝受付手段）が追記許可フラグの検知を行わない指示を受け付けている場合は、無条件で検知失敗とする、或いは追記許可フラグ９１の検知を行わない指示をドライブ制御部１６に対して与える。
【００７６】
ステップＳ３２０において、［ＤＭＡ］における追記許可フラグ９１の検知に成功した場合、ドライブ制御部１６はステップＳ３３０において、図２（ａ）に示す例では図中の矢印β１１、また図２（ｂ）に示す例では図中の矢印β１４に示すように、アクセスインジケータ領域を先頭から順に参照し、記録／未記録の確認を行う。
【００７７】
図２の例ではまず[ＴＤＭＡ２]の参照が行われ、未記録であることが確認される。次に［ＴＤＭＡ１］が参照され、［ＴＤＭＡ１］が記録済みであることが確認される。図２（ａ）に示す例では図中の矢印β１２、また図２（ｂ）に示す例では図中の矢印β１５がこの確認処理を示している。この時点で、ＴＤＭＡ１領域に最新のＤＭＡ情報が記録されていると判定される。この結果、ＴＤＭＡ１領域から最新のＤＭＡ情報を読み出した後、読み出したＤＭＡ情報に基づいてデータ領域からユーザデータ等の読み込みを行い、本処理を終了する。
【００７８】
図２（ａ）に示す例では図中の矢印γ１１、また図２（ｂ）に示す例では図中の矢印γ１２がこの読み出し処理を示している。このようにγ１２は、ファイナライズ処理後に追記されたＤＭＡ情報（矢印α１４により書き込まれたＤＭＡ情報）を参照することが可能であり、これに基づいて、ファイナライズ処理後にデータ領域に記録されたユーザデータを読み込むことが可能である。なお、ＤＭＡ情報以外の情報再生処理、例えば図８に示すＤａｔａ  Ｚｏｎｅ  ０に対する画像データの再生処理等については従来技術と同様であるため、ここでは説明を省略する。
【００７９】
逆にステップＳ３２０において、［ＤＭＡ］における追記許可フラグ９１の検知が失敗した場合、或いはあらかじめ追記許可フラグ９１の検知を行わない指示を制御部１１から受けていた場合、ドライブ制御部１６はステップＳ３４０において、ＤＭＡ領域から最新のＤＭＡ情報を読み出した後、読み出したＤＭＡ情報に基づいてデータ領域からユーザデータ等の読み込みを行って本処理を終了する。これは図７の矢印β４及び矢印γ３に示すように、従来の光ディスク装置によるファイナライズ済み光ディスクに対する再生処理と同様の処理内容となっている。
【００８０】
なお、従来の光ディスク再生装置で図２に示す光ディスクの再生が行われた場合、そもそも追記許可フラグ９１の検知が行われず、従って図７の矢印β４及び矢印γ３に示す処理が行われる。この結果、ＤＭＡ領域から読み込まれたＤＭＡ情報に基づいて、データ領域からユーザデータの読み込みが行われる。
【００８１】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００８２】
従って本発明は、以下の形態にも適用可能である。
（Ａ）本実施形態では、本発明のＢＤ−Ｒ記録再生装置１によりファイナライズした光ディスクを本発明のＢＤ−Ｒ記録再生装置１で再生した際の処理をフロー図３〜５とブロック図２を用いて説明したが、従来のＢＤ−Ｒプレーヤ等の再生装置により、本発明のＢＤ−Ｒ記録再生装置１によりファイナライズした光ディスクを再生することも可能である。この場合、追記許可フラグ９１は無視され、一般的なファイナライズ済み光ディスクの再生処理、つまり図７の矢印β４及び矢印γ３に示す再生処理が行われる。このため、従来の光ディスク再生装置においては、本発明によるファイナライズ後追記データの再生を行うことはできないが、ファイナライズ時のデータは再生可能である。
【００８３】
（Ｂ）本実施形態では、本発明のＢＤ−Ｒ記録再生装置１によるファイナライズ処理、ファイナライズ後追記処理、及びファイナライズ済み光ディスクの再生処理を説明したが、本発明の前記各処理の一つまたは二つのみを実施可能である装置を複数用いることによって、本発明を実施する形態でもよい。
【００８４】
（Ｃ）本実施形態では、処理中再生機能に関わる各種機能部が、マイクロプロセッサ等の演算処理装置上でプログラムを実行することにより実現されているが、各種機能部が複数の回路により実現される形態でもよい。
【００８５】
（Ｄ）本実施形態では、光ディスク記録装置及び光ディスク再生装置の具体例として、記録機能と再生機能の両方を備えたＢＤ−Ｒ記録再生装置１を例として説明したが、記録機能のみを備える記録装置、あるいは再生機能のみを備える再生装置を用いることよって本発明を実施する形態でもよい。なお記録装置としては、例えばＢＤ−Ｒレコーダ、ＢＤ−Ｒドライブ搭載パソコン、或いはＢＤ−Ｒドライブ搭載ビデオカメラ等を用いることができる。また再生装置としては、ＢＤプレーヤ、ＢＤドライブ搭載パソコン、或いはＢＤドライブ搭載ゲーム機等を用いることができる。
【００８６】
（Ｅ）本実施形態では、制御部１１、及び光ディスクドライブ１３がＢＤ−Ｒ記録再生装置１の内部に備わっている構成を例として説明したが、制御部１１及び光ディスクドライブ１３に含まれる各機能部の一部或いは全部がネットワークを介して接続された外部装置により実現される形態であってもよい。例えば、光ディスクドライブ１３が、ネットワーク上に存在する共有ディスク装置（ネットワークドライブ等）に設けられており、複数の記録再生装置から光ディスクドライブ１３に対する記録或いは再生が行われる形態であってもよい。
【００８７】
（Ｆ）本実施形態では、図２、図６、及び図７に示すように記録及び再生を行うＢＤメディアとして一層構造のＢＤ−Ｒメディアを用いて説明を行っているが、二層構造のＢＤ−Ｒメディアを用いた構成であっても、同様の作用及び効果を得ることができる。
【図面の簡単な説明】
【００８８】
【図１】は、本発明の一実施形態に係る光ディスク記録再生装置を示す構成図である。
【図２】は、本発明の一実施形態に係る一層ＢＤ−Ｒメディアのファイナライズ処理、ファイナライズ処理後追記処理、ファイナライズ処理後再生処理を模式的に示したブロック図である。
【図３】は、本発明の一実施形態に係るファイナライズ処理の処理フロー図である。
【図４】は、本発明の一実施形態に係るＤＭＡ情報記録処理の処理フロー図である。
【図５】は、本発明の一実施形態に係るＤＭＡ情報再生処理の処理フロー面である。
【図６】は、従来の一層ＢＤ−ＲメディアのＤＭＡ情報記録処理及びＤＭＡ情報再生処理を模式的に示したブロック図である。
【図７】は、従来の一層ＢＤ−Ｒメディアのファイナライズ処理及びファイナライズ処理後ＤＭＡ再生処理を模式的に示したブロック図である。
【図８】は、ＢＤ−Ｒメディアの情報記録領域を示すデータ構成図である。
【図９】は、ＢＤ−ＲメディアのＬｅａｄ−ｉｎ領域及びアウター領域の構成を示すデータ構成図である。
【図１０】は、一層ＢＤ−ＲメディアのＴＤＭＡ領域を示すデータ構成図である。
【符号の説明】
【００８９】
１      ＢＤ−Ｒ記録再生装置（光ディスク記録装置及び光ディスク再生装置）
１１    制御部（受付手段）
１２    メモリ
１３    光ディスクドライブ（光ディスク記録手段及び光ディスク再生手段）
１６    ドライブ制御部（光ディスク記録手段及び光ディスク再生手段）
１７    再生信号制御部（光ディスク再生手段）
【図１】
2008146791.tif 000003
【図２】
2008146791.tif 000004
【図３】
2008146791.tif 000005
【図４】
2008146791.tif 000006
【図５】
2008146791.tif 000007
【図６】
2008146791.tif 000008
【図７】
2008146791.tif 000009
【図８】
2008146791.tif 000010
【図９】
2008146791.tif 000011
【図１０】
2008146791.tif 000012